(57)【要約】【課題】曲線状の長尺物部材からなるものにおいて、その長手方向に沿って、かつ、横断面方向に均一な状態で光を照射させるようにする。【解決手段】光伝播性を有するとともに光拡散性を有する部材にて形成される光ケーブル３と、当該光ケーブル３と同様に光伝播性及び光拡散性を有するものであって、上記光ケーブル３を包んだ状態で保持するように形成され、かつ、全体がチューブ状の一定の横断面形状を有するように形成されたベース部材１２と、当該ベース部材１２を保持する保持部材１６と、上記光ケーブル３に光を送る発光装置３３と、からなる。【選択図】図３
2010229635.tif 000002
【特許請求の範囲】
【請求項１】
光伝播性を有するとともに光拡散性を有する部材にて形成される光ケーブルと、当該光ケーブルと同様に光伝播性及び光拡散性を有するものであって、上記光ケーブルを包んだ状態で保持するように形成され、かつ、全体が一定の横断面形状を有するように形成されたベース部材と、当該ベース部材を保持する保持部材と、上記光ケーブルに光を送る発光装置と、からなることを特徴とする照明機能を有する長尺物建材。
【請求項２】
Ｃ字状の横断面形態を有するものであって所定の長さを有するように成形された型部材と、当該型部材の上記Ｃ字状横断面の開口部のところに設けられるものであって、一定の横断面形状を有するとともに上記型部材と略同等の長さを有するように形成され、更には所定の光拡散性を有するプラスチック材にて形成されるベース部材と、当該ベース部材の上記型部材の存する側とは反対の側に設けられるものであって金属製部材を初めとした不透明体からなる部材にて形成されるとともに、ベース部材と略同等の長さを有するように形成されたストリップ状部材と、上記ベース部材内に当該ベース部材の長手方向に沿うように設けられるものであって、光伝播性を有するとともに光拡散性を有する部材にて形成された光ケーブルと、当該光ケーブルに光を送る発光装置と、からなることを特徴とする照明機能を有する長尺物建材。
【請求項３】
請求項２記載の照明機能を有する長尺物建材において、上記型部材を初めとした各部材を、その側面視または平面視において円弧状の形態を有するようにしたことを特徴とする照明機能を有する長尺物建材。
【請求項４】
請求項２記載の照明機能を有する長尺物建材において、上記型部材を初めとした各部材を、螺旋形状の形態を有するようにしたことを特徴とする照明機能を有する長尺物建材。
【請求項５】
請求項２ないし請求項４記載の照明機能を有する長尺物建材において、上記型部材の下面側に所定のフットライトを設けるとともに、当該フットライトの作動制御及び上記発光装置の作動制御を行なうものであって光センサを主に形成される発光制御装置を設けるようにしたことを特徴とする照明機能を有する長尺物建材。
【請求項６】
請求項５記載の照明機能を有する長尺物建材において、上記型部材の長手方向両端部のところに赤外線センサを主に形成される感知センサを設け、これによって人が近づいたときには、当該感知センサからの信号に基づき上記発光装置及びフットライトを点灯させるようにしたことを特徴とする照明機能を有する長尺物建材。
【発明の詳細な説明】
【技術分野】
【０００１】
本発明は、建物のエントランスや通路等において歩行者の安全性確保のために設けられる手摺り等に用いられる長尺物建材に関するものであり、特に、このような長尺物建材からなる手摺りの、その下面側に所定の照明装置を設けるようにし、これによって安全性に優れた手摺り等を形成させるようにした技術に関するものである。
【背景技術】
【０００２】
従来のこの種のものとしては、例えば特開２００４−３０３６４７号公報に開示されているように、照明装置が通路の天井部に設けられて通路の一部をスポット的に照らしているようなものが挙げられる。また、特開２０００−３４８１５号公報にて開示されているものの如く、透光性を有する中空状の手摺本体の内部に照明装置及び当該照明装置からの光を拡散させる光拡散装置が設けられるようになっているものが挙げられる。
【先行技術文献】
【特許文献】
【０００３】
【特許文献１】特開２００４−３０３６４７号公報
【特許文献２】特開２０００−３４８１５号公報
【発明の概要】
【発明が解決しようとする課題】
【０００４】
ところで、上記従来のもの、例えば特開２００４−３０３６４７号公報に挙げられるものは、スポット的に一箇所を照らすようにしているものである。従って、長い通路等においては複数の照明装置が必要となり、設置コストが高くならざるを得ないと言う問題点を有する。また、特開２０００−３４８１５号公報記載のものは、点光源を基に、これを反射させて対応するようにしているものであり、長手方向に均一な光を照射させることは難しいと言う問題点を有する。また、これらのものにおいては、曲線上において、その長手方向に均一な明るさを得るようにすることは非常に難しいと言う問題点を有している。このような問題点を解決するために、長尺物部材を基礎に、その長手方向に均一な状態で光を照射させるようにした長尺物建材を提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、照明機能を有する長尺物建材に関して、光伝播性を有するとともに光拡散性を有する部材にて形成される光ケーブルと、当該光ケーブルと同様に光伝播性及び光拡散性を有するものであって、上記光ケーブルを包んだ状態で保持するように形成され、かつ、全体が一定の横断面形状を有するように形成されたベース部材と、当該ベース部材を保持する保持部材と、上記光ケーブルに光を送る発光装置と、からなるようにした構成を採ることとした。
【０００６】
また、請求項２記載の発明である第二の発明においては、照明機能を有する長尺物建材に関して、Ｃ字状の横断面形態を有するものであって所定の長さを有するように成形された型部材と、当該型部材の上記Ｃ字状横断面の開口部のところに設けられるものであって、一定の横断面形状を有するとともに上記型部材と略同等の長さを有するように形成され、更には所定の光拡散性を有するプラスチック材にて形成されるベース部材と、当該ベース部材の上記型部材の存する側とは反対の側に設けられるものであって金属製部材を初めとした不透明体からなる部材にて形成されるとともに、ベース部材と略同等の長さを有するように形成されたストリップ状部材と、上記ベース部材内に当該ベース部材の長手方向に沿うように設けられるものであって、光伝播性を有するとともに光拡散性を有する部材にて形成された光ケーブルと、当該光ケーブルに光を送る発光装置と、からなるようにした構成を採ることとした。
【０００７】
また、請求項３記載の発明である第三の発明においては、請求項２記載の照明機能を有する長尺物建材に関して、上記型部材を初めとした各部材を、その側面視または平面視において円弧状の形態を有するようにした構成を採ることとした。
【０００８】
また、請求項４記載の発明である第四の発明においては、請求項２記載の照明機能を有する長尺物建材に関して、上記型部材を初めとした各部材を、螺旋形状の形態を有するようにした構成を採ることとした。
【０００９】
また、請求項５記載の発明である第五の発明においては、請求項２ないし請求項４記載の照明機能を有する長尺物建材に関して、上記型部材の下面側に所定のフットライトを設けるとともに、当該フットライトの作動制御及び上記発光装置の作動制御を行なうものであって光センサを主に形成される発光制御装置を設けるようにした構成を採ることとした。
【００１０】
また、請求項６記載の発明である第六の発明においては、上記請求項５記載の照明機能を有する長尺物建材に関して、上記型部材の長手方向両端部のところに赤外線センサを主に形成される感知センサを設け、これによって人が近づいたときには、当該感知センサからの信号に基づき上記発光装置及びフットライトを点灯させるようにした構成を採ることとした。
【発明の効果】
【００１１】
第一の発明によれば、発光装置から発せられた光は光ケーブルに沿って、その長手方向に伝播されるとともに、各断面部において光ケーブルの中心からその円周方向に向って放射されることとなる。そして、このように放射された光は周りに設けられたチューブ状のベース部材に伝播される。そして更に、このベース部材に伝播された光は、当該ベース部材の外側へと放射されることとなる。これによって、ベース部材は、その長手方向全般に渡って所定の光を放射し、輝くこととなる。
【００１２】
また、第二の発明によれば、本長尺物建材を、略Ｃ字状の横断面形態を有する型部材と、当該型部材のＣ字状横断面部内に設けられるものであって所定のプラスチック材からなるベース部材とにて形成される複合材からなるようにしたので、手摺り等に利用される長尺物建材を安価に製造することができるようになる。また、このような長尺物建材を形成するプラスチック製のベース部材内には、光ケーブルを主に形成される発光手段（装置）が設けられるようになっていることより、当該発光装置の作動により、上記ベース部材はその全体に渡って略均一な状態で発光するようになり、優雅な外観形態を呈することとなる。また、全体が誘導灯としての機能を発揮するようになり、安全性の確保等を図ることができるようになる。
【００１３】
また、第三の発明によれば、本長尺物建材を階段の側壁等に設けることによって、手摺兼用の誘導灯としても機能を発揮させることができるようになり、歩行者等の安全性の確保を図ることができるようになる。また、全体が湾曲した発光体を形成することとなり、本長尺物建材が設けられる周りの美観の向上を図ることができるようになる。
【００１４】
また、第四の発明によれば、全体を螺旋状の形態からなるようにしたので、本装置を例えば螺旋階段のところに設けることによって、螺旋階段の照明装置として利用することができるようになり、安全性の向上が図られるようになる。また、見栄えにおいても優れた景観を提供することができるようになる。
【００１５】
また、第五の発明によれば、光センサからの信号に基づいて発光装置の作動が制御されることとなり、日没とともにフットライトを点灯させることができるようになる。また、夜明けとともにフットライトを消灯させることができるようになり、上記フットライトを初めとした各照明装置の消し忘れ防止等を図ることができるようになる。
【００１６】
また、第六の発明によれば、感知センサの作動により、人が近づいてきて利用を欲するときにのみフットライトの点灯を行なわせることができるようになり、無駄な電力の消費等を抑止することができるようになる。これによって、省エネルギー化を図ることができるようになる。
【図面の簡単な説明】
【００１７】
【図１】本発明にかかる第一の実施形態に関するものであり、光ケーブルを保持するベース部材を光ケーブルを包むように形成されたチューブ状の部材からなるようにしたものに関する図である。
【図２】本発明の主要部を成す長尺物建材の横断面構造並びに長尺物建材の下面側に設けられるフットライトの構造を示す断面図である。
【図３】本発明にかかる照明装置付きの長尺物建材がエントランスあるいは階段等に設けられた状態を示す外観図である。
【図４】本発明にかかる照明装置付きの長尺物建材が階段側壁等に手摺として設置された状態を示す斜視図である。
【発明を実施するための形態】
【００１８】
本発明を実施するための形態について、図１ないし図４を基に説明する。本発明にかかる第一の実施形態（実施例１）に関するものは、例えば図１に示す如く、光伝播性を有するとともに光拡散性を有する部材にて形成される光ケーブル３と、当該光ケーブル３と同様に光伝播性及び光拡散性を有するものであって、上記光ケーブル３を包んだ状態で保持するように形成され、かつ、全体がチューブ状の一定の横断面形状を有するように形成されたベース部材１２と、当該ベース部材１２を保持する保持部材１６と、上記光ケーブル３に光を送る発光装置３３と、からなるものであり、これらによって照明機能を有する長尺物建材が形成されるようになっているものである。また、このような基本構成からなるものが、例えば図３または図４に示す如く、アーチ状に曲げられて階段の側面部等に設けられることによって、歩行者５等が、これを掴むことができるようになり、その結果、手摺としての機能が発揮されるようになっているものである。すなわち、照明機能を有する手摺が形成されることとなる。
【００１９】
次に、本発明にかかる第二の実施形態（実施例２）について、図２ないし図４を基に説明する。このものは、例えば図３または図４に示す如く、全体がアーチ状の形態からなる手摺本体１を主に形成されるようになっているものである。その内の一例として、例えばエントランスの一部等に設けられるものとしては、図３に示す如く、所定の間隔をもって設立される複数本の支柱７と、当該支柱７の先端部（上端部）７１と上記手摺本体１の下面部１７との間に設けられるものであって当該支柱７と上記手摺本体１との間を連結する連結装置７７と、からなるものが挙げられる。このような基本構成からなるものにおいて、上記手摺本体１の下面部１７のところには所定の間隔をもってフットライト２が設けられるようになっている。従って、このようなフットライト２への電力供給のための電源ケーブル（ケーブル）９が上記手摺本体１内に、または場合によっては支柱７及び連結装置７７内等に配設されるようになっている。従って、上記手摺本体１の内部等にはケーブル９収納用の空間部等が設けられるようになっている。
【００２０】
また、本発明にかかる他の実施例に関するものとしては、例えば図４に示す如く、階段の側壁８に取付けられる手摺等として利用される場合のものが挙げられる。このものは、手摺本体１の下面部に設けられた取付装置７５等を介して本手摺装置全体が階段の側壁８の側面部等に取付けられるようになっているものである。そして、このように形成された手摺本体１を、歩行者等は、例えば図４に示す如く、自分の手で握って身体の安定を保った状態で階段の昇り降り等を行なうことができるようになっている。なお、本実施例のものにおいては、手摺本体１の下面部１７のところにはフットライト２が設けられるようになっている。このフットライト２の光によって階段における歩行者の足元周りは明るく照らされることとなり、これによって歩行者の安全性が確保されることとなる。
【００２１】
なお、本実施例のものにおいては、例えば図２に示す如く、手摺本体１を形成するものであってＣ型形状を有する金属製の型部材１１内に設けられるプラスチック材からなるベース部材１２内には光ケーブル３が設けられるようになっており、この光ケーブル３からの光は、上記ベース部材１２を透過して、更には手摺本体１の上方部に設けられるストリップ状部材１３、１３間の隙間を介して横方向に照射されるようになっている。このストリップ状部材１３、１３間から照射される光によっても階段８８周りは多少は明るくなるが、このストリップ状部材１３、１３間から照射される光は、淡く、柔らかな状態からなるものである。従って、この横方向へ照射された光は照明を目的としていると言うよりも、むしろライトアップによるデザイン上の効果を得ることを目的としているものである。
【００２２】
次に、本実施例にかかる手摺本体１の具体的構成について説明する。このものは、図２または図４に示す如く、例えばステンレススチール製等の長尺物部材がロール成形手段を介してＣ字状の横断面形態を有するように成形加工されることによって形成される型部材１１と、このような型部材１１のＣ字状横断面部内に設けられるものであって、押出成形手段またはインジェクション成形手段等を介して形成されるプラスチック製の棒状部材からなるベース部材１２と、このようにして形成されたベース部材１２の上面部のところに接着手段等を介して設けられるものであって不透明体からなるストリップ状部材１３と、からなるものである。
【００２３】
そして、このような構成からなる手摺本体１を形成する型部材１１の外側の面、すなわち、Ｃ字状横断面形態を有する型部材１１の外側であって下面側（下面部１７側）のところには、ＬＥＤ等にて形成されるフットライト２が設けられるようになっている（図２，図３参照）。そして、このフットライト２は、上記Ｃ字状横断面形状の型部材１１の、その長手方向に等間隔状に複数個設けられるようになっているものである。このような基本構成からなる本手摺本体１の、その全体的な横断面形状は横長状の楕円形を形成するようになっているものである。このような横断面形態を有するものが、例えば図３に示す如く、長手方向に長く湾曲した形態に成形され、手摺本体１が形成されるようになっている。そして、このような長尺物からなる手摺本体１を基礎に形成される本手摺りは、歩行者等にとって掴み勝手の良いものとなり、歩行者等の安全性が確保されるようになっている。
【００２４】
また、本実施例のものにおいては、上記ストリップ状部材１３は、例えば図２に示すように、その横断面形態において、ほぼ左右対称形をなすように３枚設けられるようになっているが、必ずしもこのようなものに限定されるものではない。本ストリップ状部材１３は、２枚あるいは４枚等からなるものであっても良い。また、必ずしも対称形をなすように設置されるものでなくとも良い。要は、横断面形態が全体的に平べったい形状の楕円形をなす本手摺本体１の一部を形成するようなものであれば良い。このような楕円形を形成させることによって、例えば、図４に示す如く、歩行者５にとって掴み勝手の良い手摺りが形成されることとなる。なお、このようなストリップ状部材１３としては、本実施例においては、ステンレススチールを初めとした金属製部材が採用されるようになっているが、この外に、不透明なプラスチック製プレート等であっても良いし、場合によっては、その表面側に化粧用のシート４あるいはフィルム４等を貼り付けるようにしたものであっても良い（図２参照）。または、この外に、木製、本皮製等からなるものであっても良い。
【００２５】
次に、上記構成からなるベース部材１２は、所定のプラスチック材を基礎に形成されるものであって、主に押出成形手段等にて棒状に成形加工されるものである。このようにして形成された棒状のベース部材１２をＣ字状の横断面形態を有するものであって全体が湾曲した形態からなる型部材１１内へ嵌め込ませることによって一体化させることが考えられる。なお、このような構成からなるベース部材１２と上記型部材１１及びストリップ状部材１３との係合関係は、例えば図２に示す如く、それぞれの部材１１、１３の横断面形状端末部を上記ベース部材１２の一部に食い込ませるようにしても良い。このような構成を採ることによって、Ｃ字状の型部材１１を基礎にして、その周りにストリップ状部材１３を有した状態で上記空間部内へ上記ベース部材１２を設置することによって、ベース部材１２を中心にして周りに型部材１１及びストリップ状部材１３を有する長尺物からなる手摺本体１が一体的に形成されることとなる。
【００２６】
なお、本ベース部材１２として用いられるプラスチック材に関しては、その硬度は特に限定されるものではないが、本ベース部材１２が手摺りとして利用される場合、あるいは本ベース部材１２が屈曲成形されて用いられる場合等においては、掴み勝手の良さ、あるいは曲げ成形加工の容易さ等を考慮して、硬度の低い軟質プラスチック材が用いられる場合がある。更には、本ベース部材１２に上記の如く軟質プラスチック材が採用された場合には、ベース部材１２全体が柔かく撓み、歩行者等が手で掴んだ際に手に柔かい感じを与えるとともに、手になじむようになる。
【００２７】
また、本実施例においては、上記手摺本体１を形成する上記ベース部材１２を透明性のある素材にて形成させるとともに、その一部に、例えば図２に示すような空洞部１５を設けるようにしたものが挙げられる。そして、このようにして形成された空洞部１５内には、図２及び図４に示す如く、例えば光ファイバー等からなるものであって、ＬＥＤ等からなる発光装置３３にて発せられた光を誘導するように形成された光ケーブル３が設置されるようになっている。これによって、照明機能を発揮する手摺が形成されることとなる。
【００２８】
具体的には、例えば図２に示す如く、ベース部材１２の上方部に設けられる各ストリップ状部材１３、１３の間には隙間１９が設けられるようになっているので、この隙間１９を介して、上記光ケーブル３からの光は直接上方へは照射されず、もっぱら横方向あるいは下方へと照射されることとなる（図２及び図３参照）。その結果、歩行者等にとっては、直接光が目に入らず、間接光が目に入るようになる。従って、このような長尺物部材からなる本手摺においては、補助的な照明装置として利用されるとともに、全体として淡い光を発するディスプレイ手段としての機能も発揮されるようになり、優れた美感を呈することとなる。
【００２９】
次に、このような構成からなる手摺本体１の下面側に設けられるフットライト２の、その構成（構造）等について、図２及び図３等を基に説明する。このものは、例えば図３に示す如く、手摺本体１の下面側に、その長手方向に所定の間隔を有した状態で複数個設けられるようになっているものである。そして、このものは、例えば図２に示す如く、ステンレススチール製等の金属製素材からなるケース２５を基礎に形成されるようになっているものである。そして更に、このような金属製のケース２５の一部にはネジ部２９が設けられるようになっており、このネジ部２９を介して、本フットライト２は、上記手摺本体１を形成する型部材１１の外面側に設けられたバーリング成形部におけるネジ部のところに取付けられるようになっているものである。
【００３０】
具体的には、本フットライト２は、図２に示す如く、ボックス状のケース２５を基礎にして、その内部にベース２８が設けられ、このベース２８のところにＬＥＤ等からなる発光体２１が設けられるようになっているものである。そして、この発光体（ＬＥＤ素子）２１の前面側には透明体２２が設けられるとともに、この透明体２２の表面側には、本透明体２２の一部を覆うように形成された遮光板２３が設けられるようになっている（図２参照）。そして、この遮光板２３を操作することによって、上記発光体２１からの光の照射方向等を変えることができるようになっているものである。そして更に、このような透明体２２及び遮光板２３等はスナップリング２４を介して上記ケース２５の前端部のところに取付けられるようになっているものである。
【００３１】
このような構成を採ることによって、本実施例のものにおいては、意匠性に優れているとともに、フットライトとしての機能を具備する手摺りが、ロール成形手段及び押出成形手段を介して効率良く形成（製造）されるようになり、安全性に優れた照明機能を有する手摺が安価に提供されることとなる。
【符号の説明】
【００３２】
１  手摺本体
１１  型部材
１２  ベース部材
１３  ストリップ状部材
１５  空洞部
１６  保持部材
１７  下面部
１９  隙間
２  フットライト
２１  発光体（ＬＥＤ素子）
２２  透明体
２３  遮光板
２４  スナップリング
２５  ケース
２８  ベース
２９  ネジ部
３  光ケーブル
３３  発光装置
４  化粧シート（化粧フィルム）
５  歩行者
７  支柱
７１  先端部（上端部）
７５  取付装置
７７  連結装置
８  側壁
８８  階段
９  ケーブル
【図１】
2010229635.tif 000003
【図２】
2010229635.tif 000004
【図３】
2010229635.tif 000005
【図４】
2010229635.tif 000006